(57)【要約】【課題】クランク角度に適したアシスト比で電動アシスト制御を実施する電動アシスト自転車を提供する。【解決手段】補助動力を踏力に並列に付加して走行可能な電動アシスト自転車は、踏力を検出し、ホール素子出力パルス数をカウントし、車速Ｖを検出する（３００、３０２、３０４）。踏力変化から踏み込みを検出すると、検出時のクランク角度を開始角度θｓに設定し（３０８）、開始角度θｓからの最大踏力角度θｍ０及び終了角度θｅ０を決定し（３１０）、車速Ｖ及びクランク角度θの関数としてのアシスト比パターンＡｒを決定する（３１２）。開始角度θｓからのパルスカウント数で実際のクランク角度θを検出し（３１４）、検出されたクランク角度に対応するアシスト比を決定された前記アシスト比パターンから求め、該アシスト比と検出された踏力とから補助動力を演算し、該補助動力を出力するように電動手段を制御する（３１６）。【選択図】図１０
2008254592.tif 000002
【特許請求の範囲】
【請求項１】
踏力によるペダルクランクの回転で走行する電動アシスト自転車であって、
補助動力を発生するための電動手段と、
前記補助動力を踏力に並列に付加するための合力手段と、
踏力を検出するための踏力検出手段と、
前記ペダルクランクの車体に対する角度であるクランク角度を検出するクランク角度検出手段と、
少なくともクランク角度の関数としてのアシスト比パターンを決定するアシスト比決定手段と、
検出されたクランク角度に対応するアシスト比を決定された前記アシスト比パターンから求め、該アシスト比と検出された踏力とから補助動力を演算し、該補助動力を出力するように前記電動手段を制御する、制御手段と、
を備える、電動アシスト自転車。
【請求項２】
前記アシスト比決定手段により決定されるアシスト比パターンは、前記クランク角度と前記電動アシスト自転車の車速との関数である、請求項１に記載の電動アシスト自転車。
【請求項３】
ペダル半回転サイクルにおいて、踏み込みが開始されたときのクランク角度を踏み込み開始角度、踏力が最大となるクランク角度を最大踏力角度、及び、踏み込みが終了したときのクランク角度を踏み込み終了角度と定義したとき、
前記アシスト比決定手段により決定されるアシスト比パターンは、前記開始角度から前記終了角度まで定義されている、請求項１又は２に記載の電動アシスト自転車。
【請求項４】
前記アシスト比決定手段により決定されるアシスト比パターンでは、クランク角度が前記開始角度から前記最大踏力角度まで変化するときアシスト比が漸増され、前記最大踏力角度でアシスト比が最大となり、クランク角度が該最大踏力角度から前記終了角度まで変化するときアシスト比が漸減される、請求項３に記載の電動アシスト自転車。
【請求項５】
前記アシスト比決定手段は、前記踏み込み開始角度が検出されたとき、最大踏力角度及び前記踏み込み終了角度を典型的な固定値として各々有するアシスト比パターンを決定する、請求項３又は４に記載の電動アシスト自転車。
【請求項６】
前記踏力検出手段により検出された踏力及び前記クランク角度検出手段により検出されたクランク角度に基づいて、クランク角度の関数としての踏力パターンを監視する、踏力パターン監視手段を更に備え、
前記アシスト比決定手段は、前記踏力パターン監視手段により監視された踏力パターンに基づいて前記アシスト比パターンを決定する、請求項３又は４に記載の電動アシスト自転車。
【請求項７】
前記踏力パターン監視手段は、前記踏力パターンを特徴付けるパラメータとして少なくとも該踏力パターンの最大踏力角度及び踏み込み終了角度を抽出することにより前記踏力パターンを監視し、
前記アシスト比決定手段は、前記踏力パターンの前記特徴パラメータを有するアシスト比パターンを決定する、請求項６に記載の電動アシスト自転車。
【請求項８】
前記踏力パターン監視手段は、前記特徴パラメータとして、過去の複数の踏力パターンの最大踏力角度及び踏み込み終了角度の各平均演算値を求める、請求項７に記載の電動アシスト自転車。
【請求項９】
前記過去の複数の踏力パターンは、前記電動アシスト自転車が走行中に順次検出される直前の複数の踏力パターン、又は、一定の学習期間内に検出された複数の踏力パターンのうちいずれかである、請求項８に記載の電動アシスト自転車。
【請求項１０】
前記特徴パラメータには、前記踏力パターンの最大踏力値が含まれている、請求項７乃至９のいずれか１項に記載の電動アシスト自転車。
【請求項１１】
複数のアシスト比パターンを記憶した記憶手段と、
前記踏力検出手段により検出された踏力及び前記クランク角度検出手段により検出されたクランク角度に基づいて、クランク角度の関数としての踏力パターンを監視する、踏力パターン監視手段と、を更に備え、
前記アシスト比決定手段は、前記踏力パターン監視手段により監視された踏力パターンに対応するアシスト比パターンを前記記憶手段から検索して決定する、請求項３又は４に記載の電動アシスト自転車。
【請求項１２】
前記クランク角度検出手段は、
スプロケットに同軸に固定されたディスクと、
前記ディスクの一方の板面側に円周等分に配置された複数の永久磁石と、
前記ディスクの前記一方の板面側に隣接して前記車体に対して固定された磁場検出手段と、
前記磁場検出手段からの磁場パルス信号をカウントするカウント手段と、
を備え、
前記踏力検出手段により踏み込み開始が検出されたときから前記カウント手段によりカウントされた磁場パルス信号のカウント値に基づいて前記クランク角度を検出する、請求項１乃至１１のいずれか１項に記載の電動アシスト自転車。
【請求項１３】
前記ディスクは、外側周囲に複数の歯を有するギアとして構成され、
前記ディスクのギアと、前記電動手段の出力ギアと、を噛み合わせることによって、前記合力手段を構成する、請求項１２に記載の電動アシスト自転車。
【請求項１４】
前記ペダルクランクが連結されたドライブシャフトの車体前進方向に対応する一方向の回転のみを前記スプロケットに伝達するように前記ドライブシャフトと前記スプロケットとを連結する一方向クラッチを更に備え、
前記一方向クラッチは、
前複数の駒が形成された駒部と、
前記複数の駒と各々係合する複数の歯が形成された歯部と、
を備え、
前記駒部及び前記歯部のいずれか一方は、前記ディスクの板面に形成されている、請求項１２又は１３に記載の電動アシスト自転車。
【請求項１５】
前記駒部及び前記歯部のうち前記ディスクに形成されていない他方は、前記ドライブシャフトに相対回転できず且つ軸方向に摺動可能に取り付けられ、
前記ドライブシャフトが前記一方向に回転したとき、前記駒部及び前記歯部の間の相対回転を係止させるように前記駒及び前記歯が係合すると共に、前記駒部及び前記歯部のうち他方は、弾性手段の弾性力に抗して踏力に対応した軸方向距離で前記駒部及び前記歯部のうち一方から離れ、
前記ドライブシャフトが前記一方向とは反対方向に回転したとき、前記駒部及び前記歯部の間の相対回転を可能とするように前記歯及び駒による係止が解除され、前記弾性手段の弾性力により前記軸方向距離が減少し、
前記踏力検出手段は、前記弾性手段の弾性歪みを検出することによって前記踏力を求める、請求項１４に記載の電動アシスト自転車。
【発明の詳細な説明】
【技術分野】
【０００１】
本発明は、アシスト比を変更することができる電動アシスト自転車に関する。
【背景技術】
【０００２】
従来、電動アシスト自転車のアシスト比（踏力に対する電動モータの出力の比率）は、車速に応じて、法定範囲内で、燃費やアシスト感等を考慮して設定されている。
【０００３】
例えば、以下の特許文献１には、電動アシスト自転車において、そのアシスト比を、低中車速域で略一定値となり、高車速域で漸減し、超高車速域では略０か又は低中車速域のアシスト比よりも小さな略一定値となるように電動モータによる駆動力を制御するコントローラを備える技術が開示されている。
【０００４】
上記技術は、特許文献１の図７（Ａ）、（Ｂ）、（Ｃ）に参照されるように、車速域毎にアシスト比を変更するものである。図７では、駆動力ＦＭ及び踏力ＦＬの時間的変化が示されており、この変化の１周期分の波がペダルクランク半回転分に相当している。ペダルクランクの半回転当たりの同一車速内でのアシスト比（ＦＭ／ＦＬ）は一定に維持されていることが図より理解できる。
【０００５】
しかし、上記従来技術では、クランク角度に関係なく、アシスト比が一定であるので、急な出だしにより車体を発進させた場合などでは、補助動力が大きくなり過ぎる一方、最も補助動力を必要とする最大踏力時のクランク角度では、補助動力が必要分よりも小さくなる傾向がある。
【特許文献１】特開平６−１０７２６６号（特許第２６２３４１９号）
【発明の開示】
【発明が解決しようとする課題】
【０００６】
本発明は、上記事実に鑑みなされたもので、クランク角度に適したアシスト比で電動アシスト制御を実施することができる電動アシスト自転車を提供することを、その目的とする。
【課題を解決するための手段】
【０００７】
上記課題を解決するため、本発明は、踏力によるペダルクランクの回転で走行する電動アシスト自転車であって、補助動力を発生するための電動手段と、前記補助動力を踏力に並列に付加するための合力手段と、踏力を検出するための踏力検出手段と、前記ペダルクランクの車体に対する角度であるクランク角度を検出するクランク角度検出手段と、少なくともクランク角度の関数としてのアシスト比パターンを決定するアシスト比決定手段と、検出されたクランク角度に対応するアシスト比を決定された前記アシスト比パターンから求め、該アシスト比と検出された踏力とから補助動力を演算し、該補助動力を出力するように前記電動手段を制御する、制御手段と、を備えて構成したものである。
【０００８】
本発明によれば、少なくともクランク角度の関数としてのアシスト比パターンから、検出されたクランク角度に対応するアシスト比を求め、該アシスト比と検出された踏力とから補助動力を演算し、該補助動力を踏力に付加することにより電動アシスト制御を行うようにしたので、クランク角度に適した適切な補助動力を達成することができる。
【０００９】
好ましくは、前記アシスト比決定手段により決定されるアシスト比パターンは、前記クランク角度と前記電動アシスト自転車の車速との関数である。
【００１０】
ペダル半回転サイクルにおいて、踏み込みが開始されたときのクランク角度を踏み込み開始角度、踏力が最大となるクランク角度を最大踏力角度、及び、踏み込みが終了したときのクランク角度を踏み込み終了角度と定義したとき、前記アシスト比決定手段により決定されるアシスト比パターンは、前記開始角度から前記終了角度まで定義されている。
【００１１】
好ましくは、前記アシスト比決定手段により決定されるアシスト比パターンでは、クランク角度が前記開始角度から前記最大踏力角度まで変化するときアシスト比が漸増され、前記最大踏力角度でアシスト比が最大となり、クランク角度が該最大踏力角度から前記終了角度まで変化するときアシスト比が漸減される。従って、急な出だしにより車体を発進させた場合等においてクランク角度が小さいうちは補助動力を比較的小さく抑えることができる。更には、最も補助動力を必要とする最大踏力時のクランク角度では、補助動力を比較的大きくすることができる。
【００１２】
前記アシスト比決定手段の一態様では、前記踏み込み開始角度が検出されたとき、最大踏力角度及び前記踏み込み終了角度を典型的な固定値として各々有するアシスト比パターンを決定する。
【００１３】
前記アシスト比決定手段の別の態様では、前記踏力検出手段により検出された踏力及び前記クランク角度検出手段により検出されたクランク角度に基づいて、クランク角度の関数としての踏力パターンを監視する、踏力パターン監視手段を更に備え、前記アシスト比決定手段は、前記踏力パターン監視手段により監視された踏力パターンに基づいて前記アシスト比パターンを決定する。従って、本態様によれば、個々人の差や路面状況等に応じて変動する踏力パターンに適したアシスト比で走行することができる。
【００１４】
本態様では、一例として、前記踏力パターン監視手段は、前記踏力パターンを特徴付けるパラメータとして少なくとも該踏力パターンの最大踏力角度及び踏み込み終了角度を抽出することにより前記踏力パターンを監視し、前記アシスト比決定手段は、前記踏力パターンの前記特徴パラメータを有するアシスト比パターンを決定する。前記特徴パラメータには、前記踏力パターンの最大踏力値が含まれていてもよい。
【００１５】
好ましくは、前記踏力パターン監視手段は、前記特徴パラメータとして、過去の複数の踏力パターンの最大踏力角度及び踏み込み終了角度の各平均演算値を求めてもよい。前記過去の複数の踏力パターンは、前記電動アシスト自転車が走行中に順次検出される直前の複数の踏力パターン、又は、一定の学習期間内に検出された複数の踏力パターンのうちいずれであってもよい。
【００１６】
前記アシスト比決定手段の更に別の態様では、複数のアシスト比パターンを記憶した記憶手段と、前記踏力検出手段により検出された踏力及び前記クランク角度検出手段により検出されたクランク角度に基づいて、クランク角度の関数としての踏力パターンを監視する、踏力パターン監視手段と、を更に備え、前記アシスト比決定手段は、前記踏力パターン監視手段により監視された踏力パターンに対応するアシスト比パターンを前記記憶手段から検索して決定する。従って、本態様によっても、個々人の差や路面状況等に応じて変動する踏力パターンに適したアシスト比で走行することができる。
【００１７】
前記クランク角度検出手段の一態様は、スプロケットに同軸に固定されたディスクと、前記ディスクの一方の板面側に円周等分に配置された複数の永久磁石と、  前記ディスクの前記一方の板面側に隣接して前記車体に対して固定された磁場検出手段と、前記磁場検出手段からの磁場パルス信号をカウントするカウント手段と、を備え、前記踏力検出手段により踏み込み開始が検出されたときから前記カウント手段によりカウントされた磁場パルス信号のカウント値に基づいて前記クランク角度を検出する。なお、磁場パルス信号のカウント値から車速も検出することができる。
【００１８】
好ましくは、前記ディスクは、外側周囲に複数の歯を有するギアとして構成され、前記ディスクのギアと、前記電動手段の出力ギアと、を噛み合わせることによって、前記合力手段を構成する。
【００１９】
より好ましくは、前記ペダルクランクが連結されたドライブシャフトの車体前進方向に対応する一方向の回転のみを前記スプロケットに伝達するように前記ドライブシャフトと前記スプロケットとを連結する一方向クラッチを更に備え、  前記一方向クラッチは、前複数の駒が形成された駒部と、前記複数の駒と各々係合する複数の歯が形成された歯部と、を備え、前記駒部及び前記歯部のいずれか一方は、前記ディスクの板面に形成されている。
【００２０】
更に好ましくは、前記駒部及び前記歯部のうち前記ディスクに形成されていない他方は、前記ドライブシャフトに相対回転できず且つ軸方向に摺動可能に取り付けられ、前記ドライブシャフトが前記一方向に回転したとき、前記駒部及び前記歯部の間の相対回転を係止させるように前記駒及び前記歯が係合すると共に、前記駒部及び前記歯部のうち他方は、弾性手段の弾性力に抗して踏力に対応した軸方向距離で前記駒部及び前記歯部のうち一方から離れ、前記ドライブシャフトが前記一方向とは反対方向に回転したとき、前記駒部及び前記歯部の間の相対回転を可能とするように前記歯及び駒による係止が解除され、前記弾性手段の弾性力により前記軸方向距離が減少し、前記踏力検出手段は、前記弾性手段の弾性歪みを検出することによって前記踏力を求める。この態様では、前記ディスクは、踏力検出手段を構成する一方向クラッチの必須構成部品、合力手段、並びに、ペダル検出手段を一体化した構成部品として機能している。これにより、電動アシスト自転車において部品点数の削減、軸方向の省スペース化を図ることができる。更に、前記ディスクのギアは、ギア比の調整により合力時の減速ギアとしても、更には、ペダル検出手段を兼ねた車速の検出手段としても機能することができる。
【実施例】
【００２１】
以下、図面を参照して、本発明の実施例を説明する。
【００２２】
図１には、電動アシスト自転車１の概略が示されている。同図に示すように、この電動アシスト自転車１の主要な骨格部分は、通常の自転車と同様に、金属管製の車体フレーム３から構成され、該車体フレーム３には、前輪２０、後輪２２、ハンドル１６、及びサドル１８などが周知の態様で取り付けられている。
【００２３】
また、車体フレーム３の中央下部には、ドライブシャフト４が回転自在に軸支され、その左右両端部には、ペダルクランク６Ｌ、６Ｒを介してペダル８Ｌ、８Ｒが各々取り付けられている。このドライブシャフト４には、車体の前進方向に相当するＲ方向の回転のみを伝達するための一方向クラッチ（後述する図３の９９）を介して、スプロケット２が同軸に取り付けられている。このスプロケット２と、後輪２２の中央部に設けられた後輪動力機構１０との間には無端回動のチェーン１２が張設されている。
【００２４】
電動アシスト自転車１には、補助電動力を発生する電動アシストユニット１１が取り付けられている。発生した補助電動力は、後述する合力機構を用いて駆動輪２２に伝達される。
【００２５】
電動アシストユニット１１に収容された電動アシスト自転車１の制御系の概略が図２に示されている。電動アシスト自転車１の制御系は、該自転車全体の電子的処理を一括して制御する１個のマイクロコンピュータ１４と、ＰＷＭ制御可能な電動モーター３７と、マイクロコンピュータ１４に直接接続され、その制御信号の電力を増幅する増幅回路１５と、を備える。増幅回路１５には、電動モーター３７に電源供給するバッテリー１７（ユニット１１の外部）が接続されている。また、電動アシストユニット１１には、モーターの回転速度を減速するための減速ギア等が収容されている。
【００２６】
マイクロコンピュータ１４には、車体フレームに対してペダルクランク６Ｒ（６Ｌ）がなすクランク角度を検出するための磁場パルス信号、踏力を演算するための磁場信号１、２、３が入力される。これらの入力信号を発生する手段については後述する。なお、電動アシストのモード（例えばノーマルモード、ターボモード、エコモード等）を指定するための信号も入力されてもよい。マイクロコンピュータ１４は、これらの入力信号から走行速度、クランク角度及び踏力を演算し、所定のアルゴリズムに基づいてアシスト比（補助動力／踏力）を決定する電子的処理を行う。次に、マイクロコンピュータ１４は、決定されたアシスト比に対応する補助動力を発生させるよう電動モーター３７を指令するため、該補助動力に応じたＰＷＭ指令を順次出力する。
【００２７】
以下、本発明の実施例に係る電動アシスト自転車の踏力検出機構、合力機構、並びに、クランク角度及び車速の検出機構について各々説明する。
（踏力検出機構）
マイクロコンピュータ１４に入力される磁場信号１、２、３を出力する踏力検出機構を図３乃至図７を用いて説明する。この踏力検出機構は、踏力に応じた一方向クラッチ９９の変形によって変化する磁場を検出する。
【００２８】
図３に示すように、一方向クラッチ９９は、駒部１００及び歯部１１２を備える。
【００２９】
駒部１００は、図４（ａ）に示すように、ドライブ軸４を受け入れるための駒部ボア１０６が中央部に形成された略円盤形状を有し、その周方向に沿って等角度毎に３つの剛性のラチェット駒１０２が、歯部１１２と相対する第２の係合面１１０側に配置されている。駒部１００は、ラチェット駒１０２を各々収容するため、図４（ｂ）に示すように、周方向に沿って３つの凹部１７０が形成される。かくして、ラチェット駒１０２は、凹部１７０にその回転軸部が収容された状態で回動し、この回動に応じてラチェット駒１０２は、第２の係合面１１０に対する角度を変える。
【００３０】
再び図４（ｂ）を参照すると、駒部１００には、各々の凹部１７０に隣接して、バネ棒１０４を収容可能な直線溝１７１が夫々形成されており、３つの直線溝１７１の両端部は、駒部１００の外周エッジまで延在している。図４（ｃ）に示すように、バネ棒１０４は、一方の端部Ａが略垂直に折り曲げられ、他方の端部Ｂがコ字状に曲げられている。バネ棒１０４を駒部１００の直線溝１７１内に取り付ける場合、図４（ｂ）に示すように、バネ棒１０４を直線溝内を摺動させながら、コ字状のＢ部が駒部１００をクリップ状に挟み止めさせるようにするだけで、バネ棒１０４を駒部１００に容易に装着することができる。しかし、このままだと、Ｂ部から引っ張る力によりバネ棒１０４が抜け落ちる可能性があるので、垂直に折れ曲がったＡ部が駒部の側壁と係合することにより、バネ棒の脱落を防止している。従って、本実施形態のバネ棒１０４は、取り付けの容易さ及び抜け防止を両立している。
【００３１】
バネ棒１０４を駒部１００の直線溝１７１に取り付けた場合、ラチェット駒１０２は、外力が作用していないとき、その長さ方向が第２の係合面１１０に対して所定の角度をなす（図５の平衡方向１６０）ように立ち上がる。図５に示すように、ラチェット駒１０２が平衡方向１６０から上昇方向ａ又は下降方向ｂに偏倚するとき、バネ棒１０４は、その偏倚を平衡方向１６０に戻すようにラチェット駒１０２に僅かな弾性力を及ぼす。
【００３２】
駒部ボア１０６の内壁には、軸方向５に延びる第１の回転防止用溝１０８が４個所に形成されている。駒部ボア１０６の内壁と摺接するドライブシャフト４の外壁部分にも、第１の回転防止用溝１０８と対面するように軸方向５に延びる第２の回転防止用溝１４０が４個所に形成されている。図６（ａ）に示すように、第１の回転防止用溝１０８及びこれに対面する第２の回転防止用溝１４０は、軸方向に沿って延びる円柱溝を形成し、各々の円柱溝の中には、これを埋めるように多数の鋼球１５０が収容される。これによって、駒部１００は、軸方向５に沿って摩擦抵抗最小で移動できると共に、ドライブシャフト４に対する相対回転が防止される。これは、一種のボールスプラインであるが、他の形式のボールスプライン、例えば無端回動のボールスプラインなどを、このような摺動可能な回転防止手段として適用することができる。
【００３３】
また、駒部１００のドライブシャフト４への取り付け方法として、図６（ａ）のボールスプライン以外の手段を用いることも可能である。例えば、図６（ｂ）に示すように、軸方向に延びる突起部１４０ａをドライブシャフト４に設け、該突起部１４０ａを収容する第３の回転防止用溝１０８ａを駒部１００に形成する、いわゆるキースプライン形式も回転防止手段として適用可能である。なお、図６（ｂ）において、突起部１４０ａを駒部１００側に、第３の回転防止用溝１０８ａをドライブシャフト４側に設けてもよい。更に、図６（ｃ）に示すように、軸方向に延びる第４の回転防止用溝１０８ｂ及びこれに対面する第５の回転防止用溝１４０ｂを駒部１００及びドライブシャフト４に夫々設け、これらの溝が形成する直方体状の溝の中にキープレートを収容する、いわゆるキー溝形式も回転防止手段として適用可能である。
【００３４】
図３に示されるように、皿バネ１３７が、駒部１００と、ドライブシャフト４に固定された支持ディスク１５１との間に介在されている。皿バネ１３７の両端部は、各々、駒部１００の裏面と支持ディスク１５１とに当接している。従って、皿バネ１３７は、駒部１００の軸方向内側への摺動に対して弾性力で対抗する。
【００３５】
一方、歯部１１２は、図７に示されるように、動力伝達ギア２００の表面である第１の係合面１２１上に形成されている。第１の係合面１２１には、ラチェット駒１０２と係合するための複数のラチェット歯１１４が形成されている。ラチェット歯１１４は、図５に示されるように、歯部の周方向に沿って互い違いに周期的に形成された、第１の係合面１２１に対してより急な斜面１１８と、より緩やかな斜面１１６と、から構成される。歯部１１２は、その第１の係合面１２１を駒部１００の第２の係合面１１０に対面させ、ラチェット駒１０２とラチェット歯１１２とを係合させた状態（図５）で、ドライブシャフト４に摺接可能に軸支される。即ち、ドライブシャフト４は、ラチェット駒１０２とラチェット歯１１２との係合部分を介してのみ歯部１１２と作動的に連結される。
【００３６】
図３に示されるように、歯部１１２を備える動力伝達ギア２００は、固定ピン２０６を用いてスプロケット２と同軸に固定され、更に、ドライブシャフト４の先端にはペダル軸が取り付けられる。かくして、車体前進方向のペダル踏力による回転のみをスプロケット２に伝達するようにドライブシャフト４とスプロケット２とを連結するラチェットギア９９が完成する。
【００３７】
更に、ラチェットギア９９の駒部１００には、ドライブシャフト４及び駒部１００と同心に、リング状に形成された永久磁石１６１が取り付けられている。リング状の永久磁石１６１は、好ましくは、リングの一方の表面がＮ極、反対側の表面がＳ極となるように構成され、永久磁石１６１のリング軸方向とラチェットギア９９の軸方向とが整列するように配列される。
【００３８】
また、磁場を検出するための複数（本実施例では３個）のホール素子１６２が、ドライブシャフト４の軸線に対して垂直な平面内で、３箇所の所定位置に各々配置されている。好ましくは、ホール素子が配置される３箇所の所定位置は、該軸線を中心として径方向に略等距離で周方向に略等角度毎の位置である。更に、ホール素子１６２が配置される所定位置は、リング状永久磁石１６１に近接した車体フレームの固定位置に相当する。これらのホール素子１６２は、マイクロコンピュータ１４（図２）に接続される。３個のホール素子１６２から各々出力された磁場検出信号１、２、３は、上述したように、マイクロコンピュータ１４（図２）に入力される。
【００３９】
代替実施例として、リング状永久磁石１６１の代わりに、鉄等の磁性体からなるリング部材１６３を用いることができる。この場合、磁石１６４を駒部１００が相対的に移動するところの所定位置、例えば、ホール素子１６２に近接した位置に固定する。なお、リング部材１６３の材料は、磁石１６４の磁場を変化させることができる任意の材料、例えば反磁性体から作ることもできる。
【００４０】
次に、本踏力検出機構の作用を説明する。
【００４１】
搭乗者がペダル８Ｒ、８Ｌ（図１）にペダル踏力を与え、ドライブシャフト４を車体前進方向に回転させると、この回転力は、ドライブシャフト４に対し回転不可能且つ摺動可能に軸支された駒部１００に伝達される。このとき、図５に示すように、ラチェット駒１０２は、駒部１００からペダル踏力に対応する力Ｆｄを与えられるので、その先端部は歯部１１２のラチェット歯のより急な斜面１１８に当接し、この力をラチェット歯に伝達しようとする。ラチェット歯部１１２は、スプロケット２に連結されているので、ラチェット駒１０２の先端部は、駆動のための負荷による力Ｆｐをより急な斜面１１８から受ける。その両端部から互いに反対向きの力Ｆｐ及びＦｄを与えられたラチェット駒１０２は、ａ方向に回転して立ち上がる。このとき駒部１００は、ラチェット駒１０２の立ち上がりによって軸方向内側に移動し、駒部１００と支持ディスク１５１との間に介在する皿バネ１３７を押し込む。皿バネ１３７は、これに対抗して弾性力Ｆｒを駒部１００に作用する。この力Ｆｒと、駒部１００を軸方向に移動させるペダル踏力を反映した力とは短時間で釣り合う。かくして、駒部１００の軸方向位置はペダル踏力を反映する物理量となる。
【００４２】
リング状永久磁石を使用した実施例の場合、駒部１００の軸方向位置に応じて、ホール素子１６２により検出される磁場強度は異なっている。即ち、ペダル踏力が増大すると、駒部１００は軸方向内側に摺動し、永久磁石１６１がホール素子１６２に接近するため、ホール素子により検出される磁場強度は増大する。逆に、ペダル踏力が減少すると、駒部１００は軸方向外側に摺動し、永久磁石１６１がホール素子１６２から遠ざかるため、ホール素子により検出される磁場強度は減少する。
【００４３】
マイクロコンピュータ１４は、３個のホール素子１６２により検出された磁場検出信号を平均演算（単なる加算演算を含む）して平均磁場強度を求める。マイクロコンピュータ１４は、磁場強度とペダル踏力を反映する永久磁石１６１の軸方向位置との間の関数関係を表すルックアップテーブルをメモリに格納しており、該テーブルを参照することにより演算した平均磁場強度からペダル踏力Ｔを求める。
【００４４】
このようにマイクロコンピュータ１４は、複数箇所の軸方向の磁場を平均化しているため、ＳＮ比を改善することができるだけでなく、駒部１００の振れに起因する磁場強度のばらつきを相殺することにより、より正確にペダル踏力Ｔを求めることができる。
【００４５】
なお、磁性体又は反磁性体のリング部材１６３を使用した代替実施例の場合、リング部材１６３の軸方向位置に応じて、磁性体又は反磁性体の影響の変化により磁石１６４の磁場分布は変化する。従って、代替実施例においても、検出された磁場強度に基づいて、上述のようにペダル踏力Ｔを求めることができる。
【００４６】
上記した踏力検出機構には以下のような優れた効果がある。
(1) 皿バネ１３７は、ドライブシャフト４に対して相対的に回転しない駒部１００と支持ディスク１５１とに当接しているため、皿バネ１３７もドライブシャフト４、駒部１００及び支持ディスク１５１と共に、回転する。よって、皿バネ１３７と駒部１００との間には摩擦が生じず、回転抵抗も発生しない。
(2) 一方向クラッチと踏力検出機構とを一つの機構で実現したので、部品点数の削減化が図られ、小型、軽量化及び低コストを達成できる。
(3)  踏力を検出する部分を、磁力発生ユニットに対して皿バネに近接して磁場検出センサーを設けたので、皿バネの磨耗や回転抵抗などが発生せず、トルク検出装置の精度を向上させると共に耐久性を向上させることができる。
(4)  上記項目(2)及び(3)に示したように踏力検出機構の小型、軽量化及び簡素化をより高いレベルで達成したので、通常の自転車であっても踏力検出機構を取り付ける可能性が更に広がった。
(5)  上記項目(2)及び(3)で示した理由により、従来機構に比べて、非接触式の磁場強度による踏力検出機構を用いたので、制御の応答性のよいアシストフィーリングを実現できる。
(6)  上記項目(2)及び(3)で示した理由により、従来機構（コイルバネ使用）に比べ、ペダルに無駄な動き（センサーが感知するまで）が無くなり、ペダルを踏み込んだときのフィーリングは、従来機構は踏み込み時に弾力感があったのに対し、上記例では、通常の自転車のフィーリングと同様になった。
（合力機構）
電動アシスト自転車１の合力機構を、図３及び図７を用いて説明する。
【００４７】
図３には、上述されたように固定ピン２０６を用いてスプロケット２に同軸に固定された動力伝達ギア２００が示されている。動力伝達ギア２００は、図７に示すように、外周部に複数の歯２０４が形成されている。
【００４８】
動力伝達ギア２００の歯２０４は、図３に示されるように、電動アシストユニット１１の補助動力出力シャフト２２２の先端に設けられたギア２２０と嵌合する。従って、電動アシストユニット１１から出力された補助動力は、シャフト２２２、ギア２２０を介して動力伝達ギア２００に伝達され、該動力伝達ギア２００からスプロケット２、チェーン１２を介して駆動輪に伝達される。かくして、踏力と補助動力との合力が達成される。動力伝達ギア２００の歯２０４の数は、ギア２２０の歯数よりも多いので、動力伝達ギア２００は、減速ギアとしても機能する。
（クランク角度及び車速の検出機構）
電動アシスト自転車１のクランク角度検出機構を、図３、図７乃至図８を用いて説明する。    
【００４９】
図７に示すように、動力伝達ギア２００の一方の板面側には、１２個の永久磁石２０２が円周１２等分に配置されている。これらの永久磁石２０２は、一方の磁極（Ｎ極又はＳ極）を当該板面の表面に出し、他方の磁極を該表面と反対側に向け、両磁極を結ぶ方向が、ドライブシャフト４の軸方向に整列するように配置されている。板面の表面に出ている磁極は、全て同一に揃えるのが好ましいが、隣接する磁石２０２の磁極が互い違いになるように配置することもできる。
【００５０】
図３を参照すると、磁石２０２が配置された動力伝達ギア２００の板面に隣接して、車体フレームに対して固定された位置にホール素子２１０が配置されている。このホール素子２１０のドライブシャフト４からの径方向距離は、永久磁石２０２のドライブシャフト４からの径方向距離と実質的に同一に設定されている。動力伝達ギア２００は、ペダルの回転と共に回転し、一方、ホール素子２１０は車体に対して静止しているので、ペダルクランク回転によって、ホール素子２１０の検出範囲に永久磁石２０２の磁場が次々横切っていく。従って、ホール素子２１０は、ペダルクランク回転数に応じたパルス数の検出信号を出力する。この磁場パルス信号は、マイクロコンピュータ１４（図２）へと入力される。
【００５１】
動力伝達ギア２００は、ペダルクランク及びスプロケット２と一緒に回転するため、動力伝達ギア２００の回転速度は、車速及びクランク角速度を反映している。かくして、マイクロコンピュータ１４は、単位時間当たりの磁場パルス信号のカウント数から、車速と、クランク角度の増加分とを演算することができる。
【００５２】
ここで、図８を参照して、磁場パルス信号のカウント数から、車体に対する（絶対的な）クランク角度を求める方法を説明する。図８に示されるように、典型的に、「開始角度」のクランク角度でペダル８Ｒ（８Ｌ）への踏み込みが開始される。従って、上記した踏力検出機構により検出された踏力が所定の閾値を越えたとき、クランク角度は、踏み込み「開始角度」であるとみなすことができる。当該踏み込み開始角度を検出した時点からホール素子２１０の磁場パルス信号をカウントし、該カウント値（クランク角度の増加分）から、現在のペダルクランク６Ｒ（６Ｌ）が位置する車体に対するクランク角度を求めることができる。また、検出した踏力が所定の閾値より小さくなったとき及び／又は検出したクランク角度が所定角度を超えたとき、クランク角度が踏み込み終了角度を超えたとみなして、クランク角度の増加分をリセットして上記した踏み込み開始の検出を再度実行する。また、検出した踏力が所定の閾値より小さくなった状態が所定時間以上継続したときには、例えば坂道を下っている場合等のように踏み込みがなされていない状況とみなして、クランク角度の増加分をリセットして上記した踏み込み開始の検出を再度実行する。
【００５３】
以上のように、動力伝達ギア２００は、踏力検出手段を構成する一方向クラッチ９９の歯部１１２、合力機構、合力時の減速ギア、車速の検出機構、並びに、ペダル検出機構を一体化した手段として機能している。これにより、電動アシスト自転車１において部品点数の削減、軸方向の省スペース化を図ることができる。
（本発明の実施例の作用）
図８に示すように、踏み込み開始角度で右側ペダルクランク６Ｒのペダル８Ｒに対する踏み込みが開始され、クランク角度θが増大するにつれ、踏力が漸次大きくなり、踏力最大角度で踏力が最大となり、それから次第に踏力が減少し、踏み込み終了角度で踏力が実質的に０となり、右側ペダルクランク６Ｒにおけるペダル半回転サイクルが完了する。終了角度から更にクランク角度が一定角度増大すると、左側ペダルクランク６Ｌのペダル８Ｌに対する踏み込みが開始され、同様に、左側ペダルクランク６Ｌにおけるペダル半回転サイクルが実行される。
【００５４】
図９には、クランク角度の関数として変化する踏力及び補助動力のグラフが示されている。図９において、θｓ（ｋ）、θｍ（ｋ）及びθｅ（ｋ）は、各々、ｋ番目のペダル半回転サイクル（サイクル番号ｋ＝１，２，３，．．．）における踏み込み開始角度、踏力最大角度及び踏み込み終了角度である。例えばｋ＝１におけるペダル半回転サイクルが、右側ペダルクランク６Ｒに関するものであるとすると、ｋ＝２のペダル半回転サイクルは、左側ペダルクランク６Ｌに関するものとなり、以下同様に左右の半サイクルが交互に現われる。
【００５５】
なお、θｓ（ｋ）、θｍ（ｋ）及びθｅ（ｋ）は、サイクル数ｋが大きくなるにつれて、グラフ上では増大していくが、以下、単に「クランク角度」と称した場合には、θｓ（ｋ）＝０にリセットされるものとする。即ち、後述される踏力最大角度及び踏み込み終了角度は、各々、開始角度を０としたときのクランク角度である。
【００５６】
図９に示されるように、踏力ＦＬ（θ、ｋ）は、クランク角度θｓ（ｋ）から漸次増大し、θｍ（ｋ）で最大となり、そこから漸次減少しθｅ（ｋ）で実質０となる。ｆｍ（θ、ｋ）は、ペダル半回転サイクルにおいて車速一定としたときのアシスト比が当該サイクルでクランク角度に依らず一定である場合（従来技術）の補助動力の変化を示している。図９では、斜線部分がアシスト比一定の場合に付加されるこの補助動力を示している。踏力ＦＬ（θ、ｋ）の変化に応じてｆｍ（θ、ｋ）も増減していることが理解できる。
【００５７】
これに対して、ＦＭ（θ、ｋ）は、本発明の実施例に係るクランク角度に依存するアシスト比制御に基づく補助動力を示している。ここで、本実施例に係るアシスト比制御を用いた電動アシスト自転車１の電動アシスト処理の流れを図１０乃至図１３のフローチャートを用いて説明する。
【００５８】
図１０に示されるように、上述した踏力検出機構により踏力ＦＬの検出処理が実行され（ステップ３００）、ホール素子２１０の出力パルス数のカウント処理が実行される（ステップ３０２）。ステップ３０２及び３０４では、マイクロコンピュータ１４は、実際に踏み込みが行われている状況か又は踏力が検出されない状況（例えば坂道を下っている状況等））かに関わりなく、ホール素子１６２及びホール素子２１０からの出力信号を絶えず監視している。ステップ３０２で出力パルス数がカウントされる場合にはパルスのカウント数から車速Ｖが検出される（ステップ３０４）。なお、これらのステップ３００、３０２、３０４は、マイクロコンピュータ１４によって、次のステップに移行した後も、常時、実行される。
【００５９】
次に、検出した踏力ＦＬの変化により踏み込みが検出されたか否かを判定する（ステップ３０６）。例えば、検出した踏力ＦＬが所定の閾値を超えたとき、踏み込み開始と判定する。踏み込みが検出された場合（ステップ３０６肯定判定）、踏み込み検出時のクランク角度を開始角度θｓに設定し（ステップ３０８）、開始角度θｓからの最大踏力角度θm0及び終了角度θe0を決定する。一実施例では、最大踏力角度θm0及び終了角度θe0は、予め経験的に求められている典型的な固定値とすることができる。
【００６０】
次に、車速Ｖ及びクランク角度θの関数としてのアシスト比パターンＡｒ（θ、Ｖ）を決定する（ステップ３１２）。ステップ３１０で最大踏力角度θm0及び終了角度θe0を常に固定値として決定する場合は、アシスト比パターンＡｒも車速Ｖの速度域毎に常に同一の変化パターンを使用することができる。このアシスト比パターンＡｒによれば、例えば、クランク角度が開始角度θｓから最大踏力角度θm0まで変化するときアシスト比を漸増させ、最大踏力角度θm0で最大のアシスト比を達成し、クランク角度が該最大踏力角度θm0から終了角度θe0まで変化するとき、アシスト比を漸減させる。
【００６１】
アシスト比パターンＡｒが決定されると、実際に開始角度θｓからのパルスカウント数でリアルタイムにクランク角度θを検出し（ステップ３１４）、ステップ３１２で決定されたアシスト比パターンＡｒの検出クランク角度θにおけるアシスト比を実現するように電動モータが制御される。即ち、アシスト比パターンＡｒ、クランク角度θ、車速Ｖ及び踏力ＦＬに基づいて決定された補助動力ＦＭで電動アシスト制御が実行される（ステップ３１６）。踏み込み終了角度θe0以降では、再びステップ３０６に戻って踏み込み検出から同様の制御が繰り返される。
【００６２】
ステップ３１６で制御される補助動力が、図９に補助動力ＦＭ（θ、ｋ）として示されている。同図に示されるように、補助動力ＦＭ（θ、ｋ）は、クランク角度が開始角度θｓから最大踏力角度θm0まで所定角度まで変化するとき、同一車速のペダル半サイクル内で同一のアシスト比を達成する従来技術の補助動力ｆＭ（θ，ｋ）よりも小さくなるように制御される。クランク角度が最大踏力角度θm0まで所定角度範囲以内に接近するとき、補助動力ＦＭ（θ、ｋ）は、補助動力ｆＭ（θ，ｋ）よりも大きくなり、最大踏力角度θm0で両者の差が最大となるように制御される。クランク角度が最大踏力角度θm0以降で該角度から所定角度範囲以内までのうちも、補助動力ＦＭ（θ、ｋ）は、補助動力ｆＭ（θ，ｋ）よりも大きくなるように制御される。クランク角度が最大踏力角度θm0から所定角度範囲以内を超えたとき、再び、補助動力ＦＭ（θ、ｋ）は、補助動力ｆＭ（θ，ｋ）よりも小さくなるように制御される。その結果、踏力ＦＬ（θ、ｋ）及び補助動力ＦＭ（θ、ｋ）の合力は、図９では、Ｓ（θ、ｋ）のように表され、従来技術による合力（斜線部の輪郭線）に比べて、やや尖った形態となる。
【００６３】
従って、本発明の実施例に係るクランク角度に応じたアシスト比の変更制御によれば、急な出だしにより車体を発進させた場合等においてクランク角度が小さいうちは補助動力を比較的小さく抑えることができる。更には、最も補助動力を必要とする最大踏力時のクランク角度では、補助動力を比較的大きくすることができる。
【００６４】
図１０のステップ３１０では、最大踏力角度θm0及び終了角度θe0を常に固定値として決定していたが、実際には、個々人の踏力パターンの差や、路面状況等に応じて、常に一定であるとは限らない。この点を考慮して、最大踏力角度θm0及び終了角度θe0を状況に応じて変更する方法を図１１を用いて説明する。なお、図１１の制御は、図１０のステップ３１０で呼び出されるサブルーチンとして実施される。
【００６５】
図１１に示されるように、図１０のステップ３００で検出された踏力ＦＬ及びステップ３０２でカウントされたホール素子出力パルスのカウント値が本サブルーチンプログラムに引き渡される（ステップ３３０、ステップ３３２）。次に、踏力ＦＬの変化パターンの特徴パラメータが、ペダル半回転サイクル毎に抽出される（ステップ３３４）。この特徴パラメータとして、例えば、ペダル半回転サイクルｋの各々において最大踏力角度θｍ（ｋ）及び踏み込み終了角度θｅ（ｋ）が抽出される。これらの抽出方法としては、踏み込み終了角度θｅに関しては、踏み込み開始角度θｓが検出されてから一定以上のクランク角度が増加し、かつ、踏力ＦＬが所定の閾値以下になり始めたときのクランク角度として抽出することができる。また、最大踏力角度θｍ（ｋ）に関しては、クランク角度が踏み込み開始角度θｓから踏み込み終了角度θｅまでの間で最大踏力ＦＬmax（ｋ）を周知の極大値検索アルゴリズム等で検索し、該最大踏力を与えたクランク角度を最大踏力角度θｍ（ｋ）として抽出する。
【００６６】
次に、ステップ３３４で抽出されたデータのうち直前の過去ｎ個のデータを平均演算する（ステップ３３６）。例えば、現在のペダル半回転サイクル番号をｐとすると、過去ｎ個の最大踏力角度のデータはθｍ（ｐ−ｎ）、θｍ（ｐ−ｎ＋１），．．θｍ（ｐ−１）となり、これらのデータから次式の通り平均最大踏力角度Ａｖθｍを演算する。
【００６７】
Ａｖθm＝（θm（ｐ−ｎ）＋θm（ｐ−ｎ＋１）＋．．θm（ｐ−１））／ｎ
また、過去ｎ個の踏み込み終了角度のデータθｅ（ｐ−ｎ）、θｅ（ｐ−ｎ＋１），．．θｅ（ｐ−１）から次式の通り平均最大踏力角度Ａｖθｅを演算する。
【００６８】
Ａｖθｅ＝（θe（ｐ−ｎ）＋θe（ｐ−ｎ＋１）＋．．θe（ｐ−１））／ｎ
更に、過去ｎ個の最大踏力のデータＦＬmax（ｐ−ｎ）、ＦＬmax（ｐ−ｎ＋１），．．ＦＬmax（ｐ−１）から次式の通り踏み込み平均最大踏力ＡｖＦＬｍａｘを求めることもできる。
【００６９】
ＡｖＦＬｍａｘ＝（ＦＬmax（ｐ−ｎ）＋．．ＦＬmax（ｐ−１））／ｎ
ステップ３３６で平均値が演算されると、本サブルーチンをリターンして、図１０のステップ３１０に戻る。このとき、ステップ３３６で求められたＡｖθm及びＡｖθｅを各々最大踏力角度θm0及び終了角度θe0に代入し、ステップ３１２に移行する。このように本サブルーチンでは、最大踏力角度θm0及び終了角度θe0を過去ｎ個分のデータを平均することによって求めているので、個々人の差や路面状況等に応じて変動する踏力パターンに適用したパラメータを設定することができる。なお、ステップ３３６では、過去ｎ個のデータに基づいて平均演算を行ったが、例えば、指定した一定学習期間の走行中に取得したｎ個のデータに基づいてＡｖθm及びＡｖθｅを求め、学習期間終了後は、それらの平均値をステップ３１０で固定値として用いることもできる。なお、ｎ＝１であってもよい。
【００７０】
次に、ステップ３３６で求められたＡｖθm及びＡｖθｅを使用してアシスト比パターンＡｒを決定する、図１０のステップ３１２の方法について図１２を参照して説明する。なお、図１２の制御は、図１０のステップ３１２で呼び出されるサブルーチンとして実施される。
【００７１】
図１２に示されるように、車速Ｖ、平均最大踏力角度Ａｖθm及び平均終了角度Ａｖθｅが本サブルーチンに引き渡される（ステップ３５０、３５２）。なお、平均最大踏力ＡｖＦＬmaxも引き渡されてもよい。次に、車速Ｖにおける典型的なアシスト比パターンＡｒが、平均最大踏力角度Ａｖθm及び平均終了角度Ａｖθｅに基づいて変更される。例えば、マイクロコンピュータ１４のメモリには、車速Ｖ及びクランク角度θの関数としての典型的なアシスト比パターンＡｒが記憶されている。この典型的なアシスト比パターンＡｒは、例えば、θｍ／（θｅ−θｍ）＝１（θｓ＝０と仮定）となるように、即ち、最大踏力角度を中心として対称的な変化パターンとして記憶されている。しかし、実際には、ステップ３５２で引き渡されたデータを用いた比Ａｖθm／（Ａｖθｅ−Ａｖθｍ）が必ずしも１になるとは限らない。そこで、比Ａｖθm／（Ａｖθｅ−Ａｖθｍ）に応じて、典型的なアシスト比パターンＡｒを変更する。例えば、θｓ≦クランク角度θ≦Ａｖθｍのときは、典型的なパターンＡｒをそのまま用い、Ａｖθｍ＜クランク角度θ≦Ａｖθｍのときは、典型的なアシスト比パターンＡｒをＸ方向（図８のクランク角度軸の方向）にＡｖθm／（Ａｖθｅ−Ａｖθｍ）の比で伸縮させる。このようにして、θｓ≦クランク角度θ≦Ａｖθｅの全定義域で画定されたアシスト比パターンＡｒを得ることができる。更に、ステップ３５２で引き渡された平均最大踏力ＡｖＦＬmaxに応じて、典型的なアシスト比パターンＡｒの最大アシスト比を変更することもできる。例えば、平均最大踏力ＡｖＦＬmaxをその大きさで複数の段階に分類し、各々の段階でゲインを対応付けておく。そして、引き渡されたＡｖＦＬmaxに対応するゲインで典型的なパターンＡｒをＹ方向（図８の力軸の方向）に増減させる。
【００７２】
ステップ３５４でアシスト比が演算されると、本サブルーチンをリターンして、図１０のステップ３１２に戻り、演算されたアシスト比で電動アシスト制御が実行される。従って、個々人の差や路面状況等に応じて変動する踏力パターンに適したアシスト比で走行することができる。
【００７３】
次に、図１２とは別の方法でアシスト比パターンＡｒを決定する方法について図１３を参照して説明する。なお、図１３に示す制御も、図１０のステップ３１２で呼び出されるサブルーチンとして実施される。
【００７４】
図１３に示されるように、車速Ｖ、平均最大踏力角度Ａｖθm及び平均終了角度Ａｖθｅが本サブルーチンに引き渡される（ステップ３６０、３６２）。このとき、平均最大踏力ＡｖＦＬmaxも引き渡されてもよい。
【００７５】
次に、平均最大踏力角度Ａｖθm及び平均終了角度Ａｖθｅ（又は、これらの加えてＡｖＦＬmax）に適した、車速Ｖにおける複数のアシスト比パターンＡｒのうちいずれかが選択される（ステップ３６４）。本実施例では、マイクロコンピュータ１４は、メモリ内に複数のアシスト比パターンを記憶しており、これらのパターンの各々は、例えば様々な路面状況の各々に応じて経験的に適していると判断された典型的なパターンである。更に、メモリ内には、各典型的なパターンに対応付けられた特徴パラメータ値が記憶されている。特徴パラメータ値は、例えば、最大踏力角度θm／（終了角度θｅ−最大踏力角度θｍ）の比、及び、最大踏力FLmax／ペダル半回転サイクル分のクランク角度θｅなどが挙げられる。従って、ステップ３６４では、ステップ３６２で引き渡されたＡｖθm、Ａｖθｅ及び／又はＡｖＦＬmaxに基づいて特徴パラメータ値を計算し、計算された特徴パラメータに最も近い特徴パラメータに対応するアシスト比パターンをメモリから検索することによって、現在の走行状態に最も適したアシスト比パターンを選択することができる。なお、選択したアシスト比パターンのクランク角度定義域が、ステップ３６２で引き渡された平均踏力ＦＬのクランク角度定義域と異なる場合には、図１２のステップ３５４で実施されたような定義域を合致させる処理が実施されてもよい。
【００７６】
ステップ３６４でアシスト比パターンが選択されると、本サブルーチンをリターンして、図１０のステップ３１２に戻り、選択されたアシスト比パターンで電動アシスト制御が実行される。従って、本実施例においても、個々人の差や路面状況等に応じて変動する踏力パターンに適したアシスト比パターンで走行することができる。
【００７７】
なお、ステップ３６４におけるアシスト比パターンの選択処理では、マイクロコンピュータ１４に入力されたモード信号（例えばノーマルモード、ターボモード、エコモード等）に応じて複数のアシスト比パターンから一つを選択する工程を加えてもよい。なお、モード信号によるアシスト比パターンの選択は、ステップ３６４から独立に実施されてもよく、図１２のステップ３５４で用いられる典型的なアシスト比パターンも、モード信号により選択されるようにすることができる。
【００７８】
以上が本発明の実施例であるが、本発明は、上記例にのみ限定されるものではなく、本発明の要旨の範囲内において任意好適に変更可能である。
【００７９】
例えば、一方向クラッチ９９の駒部１００及び歯部１１２のいずれか一方を動力伝達ギア２００に形成し、他方をドライブシャフトに取り付けるかは、任意好適に変更可能である。例えば駒部１００を動力伝達ギア２００側に形成し、歯部１１２をドライブシャフト４に摺動可能且つ回転不可能に取り付け、歯部１１２によって皿バネ１３７を押し込めるようにしてもよい。
【００８０】
更に、一方向クラッチ９９の変形に対抗して配置される弾性体も任意好適に種類及びその形状を変更可能である。皿バネ以外に例えばコイルスプリング、ゴム等の弾性体などを用いることもできる。また、磁場を検出する手段として、ホール素子を例にしたが、磁場を検出できれば、これに限定されるものではない。
【００８１】
また、クランク検出手段及び踏力検出手段に関して、その磁場検出手段の位置、磁石の形状及びその取り付け位置、並びに、磁性体又は反磁性体の形状及びその取り付け位置も、磁場パルス信号や、一方向クラッチの変形によりもたらされる磁場の変化を検出することができる限り、任意好適に変更可能である。また、磁場検出手段、磁石及び磁性体又は反磁性体の数に関しても、上記例に限定されるものではなく、任意好適に変更可能である。
【図面の簡単な説明】
【００８２】
【図１】図１は、本発明の実施例に係る電動アシスト自転車の概略図である。
【図２】図２は、図１に示す電動アシスト自転車の制御系を示す概略図である。
【図３】図３は、図１に示す電動アシスト自転車で使用される、本発明の実施例に係るトルク検出機構を組み込んだ一方向クラッチの側面図である。
【図４】図４は、一方向クラッチの駒部及び該駒部で使用されるバネ棒の構成を示す図であって、（ａ）は、バネ棒が取り付けられた状態の駒部の斜視図、（ｂ）は、バネ棒を取り外した状態の駒部の斜視図、（ｃ）は、バネ棒の側面図である。
【図５】図５は、図１に示す電動アシスト自転車の踏力検出の原理を説明するため一方向クラッチ（ラチェットギア）の歯及び駒の嵌合状態を示す図である。
【図６】図６は、ドライブシャフトに対する駒部の相対回転を防止する回転防止手段の例を示す図であり、（ａ）はボールスプライン、（ｂ）はスプラインキー、（ｃ）はキー溝の概略構成を示す上面図である。
【図７】図７は、本発明の実施例に係る合力機構で用いられる動力伝達ギアの正面図及び側面図である。
【図８】図８は、本発明の実施例に係る電動アシスト自転車のクランク角度が、踏み込み開始角度、最大踏力角度、及び、踏み込み終了角度にある状態を示す説明図である。
【図９】図９は、本発明の実施例に係る電動アシスト自転車における、踏力、本実施例で適用される補助動力、前記踏力と前記補助動力との合力、アシスト比が１：１のときの補助動力の時間的変化を示すグラフである。
【図１０】図１０は、本発明の実施例に係る電動アシスト自転車のクランク角度に応じたアシスト比変更の制御の流れを示すメインフローチャートである。
【図１１】図１１は、図１０に示すアシスト比変更の制御において、最大踏力角度及び終了角度の決定の流れを示すサブルーチンフローチャートである。
【図１２】図１２は、図１０に示すアシスト比変更の制御において、一例としてのアシスト比の決定の流れを示すサブルーチンフローチャートである。
【図１３】図１３は、図１０に示すアシスト比変更の制御において、別の例としてのアシスト比の決定の流れを示すサブルーチンフローチャートである。
【符号の説明】
【００８３】
１    電動アシスト自転車
２    スプロケット
３    フレーム
４    ドライブシャフト
１１    電動アシストユニット
１２    チェーン
１４    マイクロコンピュータ
１５    増幅回路
１７    バッテリー
２２    駆動輪（後輪）
３７    電動モーター
３７ａ  電動モーターの出力軸
９９    一方向クラッチ
１００    駒部
１０２    ラチェット駒
１０８    第１の回転防止用溝
１１２    歯部
１１４    ラチェット歯
１３７    皿バネ
１４０    第２の回転防止用溝
１５０    鋼球
１５１    支持ディスク
１６１    リング状の永久磁石
１６２    ホール素子
１６３    （磁性体又は反磁性体でできた）リング部材
１６４    永久磁石
２００    補助動力伝達ギア
２０２    クランク角度検出用の永久磁石
２０４    動力伝達ギアの歯部
２０６    固定ピン
２１０    クランク角度検出用のホール素子
２２０    ギア
２２２    補助動力の出力シャフト
【図１】
2008254592.tif 000003
【図２】
2008254592.tif 000004
【図３】
2008254592.tif 000005
【図４】
2008254592.tif 000006
【図５】
2008254592.tif 000007
【図６】
2008254592.tif 000008
【図７】
2008254592.tif 000009
【図８】
2008254592.tif 000010
【図９】
2008254592.tif 000011
【図１０】
2008254592.tif 000012
【図１１】
2008254592.tif 000013
【図１２】
2008254592.tif 000014
【図１３】
2008254592.tif 000015